(57)【要約】【課題】外枠をなくして軽量化による施工性の向上及びコスト低減が図れて、断熱ラインの連続性を確保できる外張断熱構造を提供する。【解決手段】建物における外壁の外側面に、複数種類の外張断熱パネルが取り付けられて、建物の外側面に沿って断熱ラインが形成されてなる外張断熱構造において、複数種類の外張断熱パネルは、幅寸法がモジュール寸法を基に設定された標準用断熱材３２と、これと等しい幅寸法で、その外側面に張り付けられた標準用合板３１と、を備えた標準用外張断熱パネル３０と、幅寸法がモジュール寸法よりも幅広の第一幅広断熱材１２と、これと等しい幅寸法で、その外側面に張り付けられた第一幅広合板１１と、を備えた第一幅広外張断熱パネル１０と、幅寸法がモジュール寸法よりも幅広の第二幅広断熱材２２と、これよりも幅広で、その外側面に張り付けられた第二幅広合板２１と、を備えた第二幅広外張断熱パネル２０と、を含む。【選択図】図１
2020147893.tif 000002
【特許請求の範囲】
【請求項１】
建物における外壁の外側面に、複数種類の外張断熱パネルが取り付けられて、前記建物の外側面に沿って断熱ラインが形成されてなる外張断熱構造において、
前記複数種類の外張断熱パネルは、
幅寸法がモジュール寸法を基に設定された標準用断熱材と、前記標準用断熱材と等しい幅寸法に設定されるとともに前記標準用断熱材の外側面に張り付けられた標準用合板と、を備えた標準用外張断熱パネルと、
幅寸法が前記モジュール寸法よりも幅広に設定された第一幅広断熱材と、前記第一幅広断熱材と等しい幅寸法に設定されるとともに前記第一幅広断熱材の外側面に張り付けられた第一幅広合板と、を備えた第一幅広外張断熱パネルと、
幅寸法が前記モジュール寸法よりも幅広に設定された第二幅広断熱材と、前記第二幅広断熱材よりも幅広に設定されるとともに前記第二幅広断熱材の外側面に張り付けられた第二幅広合板と、を備えた第二幅広外張断熱パネルと、を含むことを特徴とする外張断熱構造。
【請求項２】
請求項１に記載の外張断熱構造において、
前記第二幅広外張断熱パネルは、
前記第二幅広断熱材における幅方向両側端部のうち少なくとも一方が、前記第二幅広合板における幅方向両側端部のうち少なくとも一方よりも、前記第一幅広外張断熱パネルの厚さ分だけ幅方向中央側に奥まって位置することで、幅方向両側端部のうち少なくとも一方に凹部を有していることを特徴とする外張断熱構造。
【請求項３】
請求項２に記載の外張断熱構造において、
前記外壁のコーナー部に沿って、前記第一幅広外張断熱パネルと、前記第二幅広外張断熱パネルと、が直交して配置されており、
前記第二幅広外張断熱パネルにおける前記凹部に、前記第一幅広外張断熱パネルにおける幅方向側端部が嵌められるようにして設けられていることを特徴とする外張断熱構造。
【請求項４】
請求項３に記載の外張断熱構造において、
前記標準用外張断熱パネルと、前記第一幅広外張断熱パネルと、前記第二幅広外張断熱パネルと、を含む前記複数種類の外張断熱パネルは、各々の合板から各々の断熱材を貫通したビスにより、前記外壁に固定されていることを特徴とする外張断熱構造。
【請求項５】
請求項１から４のいずれか一項に記載の外張断熱構造の施工方法であって、
前記標準用外張断熱パネルと、前記第一幅広外張断熱パネルと、前記第二幅広外張断熱パネルと、を含む前記複数種類の外張断熱パネルを、前記外壁の幅寸法に応じて現場で切断して寸法調整を行うことを特徴とする外張断熱構造の施工方法。
【発明の詳細な説明】
【技術分野】
【０００１】
本発明は、外張断熱構造と、その外張断熱構造の施工方法に関する。
【背景技術】
【０００２】
木造建物の外側に張る外張断熱パネルは、モジュール単位の幅で構成されている。
外張断熱パネルにおいて、建物への施工性を考慮して、断熱材を囲む外枠を組んで構成することが考えられる。
【０００３】
また、特許文献１において、特殊な形態の外張断熱パネルが提案されている。
その外張断熱パネルは、木造軸組み構造の建物用で、周縁部が軸組材の室外側の面に接合される構造用面材と、その周縁部を除いた室内側の面の下部に付設され且つ下側の水平な土台の上面に当接可能な位置決め用の下部水平部材と、構造用面材の周縁部を除いた室外側の面の幅方向中央部に付設され且つ上下方向に延びる外装材固定用の垂直部材と、この垂直部材に密着してその両側の構造用面材の周縁部を除く室外側の面に貼着された断熱材とを備えている。
このような外張断熱パネルが軸組に組付けられた状態の断熱壁においては、断熱材が存在しないために構造用面材の周縁部が露出した溝部が軸組材に沿って生じており、その軸組材に沿って生じる溝部が、断熱壁補完部材を使用して断熱施工される。
【０００４】
そして、断熱壁補完部材は、溝部に沿って軸組材に釘打ちされる概略角材状の外装材固定用の芯材と、この芯材に凹凸係合して溝部に嵌込まれる概略角柱状の補完断熱材との組合せにより構成される。
芯材は、垂直部材と等しい厚さおよび略等しい幅の断面寸法を有するもので、その室外側の面には、複数の凸部と凹部が交互に所定ピッチで形成されている。
補完断熱材は、その厚さが断熱材の厚さと等しく、幅が溝部の幅に対応して設定されており、この補完断熱材の幅方向中央部には、芯材の各凸部が貫通する複数の嵌合孔が長手方向に沿って所定ピッチで形成され、かつ、芯材の各凸部を除いた部分が嵌合する嵌合溝が形成されている。
以上の断熱壁補完部材の芯材は、溝部に沿ってその幅方向中央部に配置され、凹部の底が構造用面材の周縁部を介して軸組材に釘打ちされて、補完断熱材は、各嵌合孔に芯材の各凸部を貫通させて溝部に嵌合される。
【先行技術文献】
【特許文献】
【０００５】
【特許文献１】特開平１１−１３１６１７号公報
【発明の概要】
【発明が解決しようとする課題】
【０００６】
しかし、単純に外枠を組んで外張断熱パネルを構成すると、外枠の分重くなってしまう。
【０００７】
特に、特許文献１の特殊形状の外張断熱パネルでは、構造用面材、下部水平部材及び垂直部材の分重くなってしまう。
さらに、断熱材が存在しないために構造用面材の周縁部が露出した溝部が軸組材に沿って生じ、その軸組材に沿って生じる溝部に、特殊な構造による芯材及び補完断熱材により構成される断熱壁補完部材を使用して、追加の断熱施工をする必要があった。
【０００８】
本発明の課題は、外枠をなくして軽量化による施工性の向上及びコスト低減が図れて、断熱ラインの連続性を確保できる外張断熱構造を提供することである。
【課題を解決するための手段】
【０００９】
以上の課題を解決するため、請求項１に記載の発明は、例えば図１に示すように、
建物における外壁の外側面に、複数種類の外張断熱パネルが取り付けられて、前記建物の外側面に沿って断熱ラインが形成されてなる外張断熱構造において、
前記複数種類の外張断熱パネルは、
幅寸法がモジュール寸法を基に設定された標準用断熱材３２と、前記標準用断熱材３２と等しい幅寸法に設定されるとともに前記標準用断熱材３２の外側面に張り付けられた標準用合板３１と、を備えた標準用外張断熱パネル３０と、
幅寸法が前記モジュール寸法よりも幅広に設定された第一幅広断熱材１２と、前記第一幅広断熱材１２と等しい幅寸法に設定されるとともに前記第一幅広断熱材１２の外側面に張り付けられた第一幅広合板１１と、を備えた第一幅広外張断熱パネル１０と、
幅寸法が前記モジュール寸法よりも幅広に設定された第二幅広断熱材２２と、前記第二幅広断熱材２２よりも幅広に設定されるとともに前記第二幅広断熱材２２の外側面に張り付けられた第二幅広合板２１と、を備えた第二幅広外張断熱パネル２０と、を含むことを特徴とする。
【００１０】
請求項１に記載の発明によれば、幅寸法がモジュール寸法を基に設定された標準用断熱材３２の外側面に、これと等しい幅寸法に設定された標準用合板３１が張り付けられた標準用外張断熱パネル３０と、モジュール寸法よりも幅広に設定された第一幅広断熱材１２の外側面に、これと等しい幅寸法に設定された第一幅広合板１１が張り付けられた第一幅広外張断熱パネル１０と、モジュール寸法よりも幅広に設定された第二幅広断熱材２２の外側面に、これよりも幅広に設定された第二幅広合板２１が張り付けられた第二幅広外張断熱パネル２０と、を含む外張断熱構造となっている。
すなわち、標準用断熱材３２の外側面に等しい幅の標準用合板３１が張り付けられた標準用外張断熱パネル３０と、第一幅広断熱材１２の外側面に等しい幅の第一幅広合板１１が張り付けられた第一幅広外張断熱パネル１０と、第二幅広断熱材２２の外側面に幅広の第二幅広合板２１が張り付けられた第二幅広外張断熱パネル２０なので、外枠をなくして軽量化できることにより、施工性を向上できるとともにコストを低減できる。
そして、第二幅広断熱材２２の外側面に幅広の第二幅広合板２１が張り付けられた第二幅広外張断熱パネル２０に対し、第二幅広断熱材２２より幅広の第二幅広合板２１の幅方向側端部において、標準用外張断熱パネル３０や第一幅広外張断熱パネル１０を直交して接続することが可能になるので、出隅部や入隅部を含んで断熱ラインの連続性を確保できる外張断熱構造を提供することができる。
また、モジュール寸法を用いて各種断熱パネル（標準用外張断熱パネル１０、第一幅広外張断熱パネル２０、第二幅広外張断熱パネル３０）を構成しているため、建物の外周ラインがどのような形状であっても断熱ラインの設計が容易に行える。
【００１１】
請求項２に記載の発明は、例えば図１、図２に示すように、
請求項１に記載の外張断熱構造において、
前記第二幅広外張断熱パネル２０は、
前記第二幅広断熱材２２における幅方向両側端部のうち少なくとも一方が、前記第二幅広合板２１における幅方向両側端部のうち少なくとも一方よりも、前記第一幅広外張断熱パネル１０の厚さ分だけ幅方向中央側に奥まって位置することで、幅方向両側端部のうち少なくとも一方に凹部２３を有していることを特徴とする。
【００１２】
請求項２に記載の発明によれば、第二幅広外張断熱パネル２０は、第二幅広断熱材２２における幅方向両側端部のうち少なくとも一方が、第二幅広合板２１における幅方向両側端部のうち少なくとも一方よりも、第一幅広外張断熱パネル１０の厚さ分だけ幅方向中央側に奥まって位置して、幅方向両側端部のうち少なくとも一方に凹部２３を有しているので、その凹部２３に第一幅広外張断熱パネル１０の幅方向側端部を接続して、出隅部における断熱ラインの連続性を確保できる。
【００１３】
請求項３に記載の発明は、例えば図２に示すように、
請求項２に記載の外張断熱構造において、
前記外壁のコーナー部に沿って、前記第一幅広外張断熱パネル１０と、前記第二幅広外張断熱パネル２０と、が直交して配置されており、
前記第二幅広外張断熱２０における前記凹部２３に、前記第一幅広外張断熱パネル１０における幅方向側端部が嵌められるようにして設けられていることを特徴とする。
【００１４】
請求項３に記載の発明によれば、外壁のコーナー部に沿って、第一幅広外張断熱パネル１０と、第二幅広外張断熱パネル２０と、が直交して配置されて、第二幅広外張断熱２０における凹部２３に、第一幅広外張断熱パネル１０における幅方向側端部が嵌められているので、出隅部における断熱ラインの連続性を確保できる。
【００１５】
請求項４に記載の発明は、例えば図１、図２に示すように、
請求項３に記載の外張断熱構造において、
前記標準用外張断熱パネル３０と、前記第一幅広外張断熱パネル１０と、前記第二幅広外張断熱パネル２０と、を含む前記複数種類の外張断熱パネルは、各々の合板３１・１１・２１から各々の断熱材３２・１２・２２を貫通したビス４により、前記外壁に固定されていることを特徴とする。
【００１６】
請求項４に記載の発明によれば、標準用外張断熱パネル３０と、第一幅広外張断熱パネル１０と、第二幅広外張断熱パネル２０と、を含む複数種類の外張断熱パネルが、各々の合板３１・１１・２１から各々の断熱材３２・１２・２２を貫通したビス４により、外壁に固定されているので、標準用外張断熱パネル３０、第一幅広外張断熱パネル１０及び第二幅広外張断熱パネル２０を含む複数種類の外張断熱パネルを、各々の合板３１・１１・２１から各々の断熱材３２・１２・２２を貫通したビス４により、外壁に確実に固定することができる。
【００１７】
請求項５に記載の発明は、例えば図１から図４に示すように、
請求項１から４のいずれか一項に記載の外張断熱構造の施工方法であって、
前記標準用外張断熱パネル３０と、前記第一幅広外張断熱パネル１０と、前記第二幅広外張断熱パネル２０と、を含む前記複数種類の外張断熱パネルを、前記外壁の幅寸法に応じて現場で切断して寸法調整を行うことを特徴とする。
【００１８】
請求項５に記載の発明によれば、標準用外張断熱パネル３０、第一幅広外張断熱パネル１０及び第二幅広外張断熱パネル２０を含む複数種類の外張断熱パネルを、外壁の幅寸法に応じて現場で切断して寸法調整を行うことで、例えば標準用外張断熱パネル３０を、第一幅広外張断熱パネル１０や第二幅広外張断熱パネル２０の側方に連続させたり、第一幅広外張断熱パネル１０や第二幅広外張断熱パネル２０と直交して連続させて入隅部や突出部等を形成できる。
【発明の効果】
【００１９】
本発明によれば、外枠をなくして軽量化による施工性の向上及びコスト低減が図れて、断熱ラインの連続性を確保できる外張断熱構造を提供することができる。
【図面の簡単な説明】
【００２０】
【図１】本発明に係る外張断熱パネルを示す斜視図で、第一幅広外張断熱パネル及び標準用外張断熱パネルを示した図（ａ）と、第二幅広外張断熱パネルを示した図（ｂ）である。
【図２】壁パネルの外側に第一幅広外張断熱パネル及び第二幅広外張断熱パネルによる出隅部と標準用外張断熱パネルを含む入隅部の構成例を示した概略平面図である。
【図３】壁パネルの外側に標準用外張断熱パネル及び第二幅広外張断熱パネルをビス止めする際の構成例を示した概略斜視図である。
【図４】図３のビス止めに用いるビスを拡大して示した側面図である。
【図５】図３のビス止め部を拡大して示した横断面図で、ビスを平行に打ち込んだ状態を示した図（ａ）と、ビスを斜めに打ち込んだ状態を示した図（ｂ）である。
【図６】壁パネル及び外張断熱パネルの下端の納まり例を示した縦断面図である。
【図７】壁パネル及び外張断熱パネルと勾配屋根の桁側上端の納まり例を示した縦断面図である。
【図８】外張断熱パネルの下端の防水水切換気構造例を一部縦断して示した概略斜視図である。
【図９】図８の縦断面図である。
【図１０】外張断熱パネルの割付例を示す概略正面図である。
【図１１】参考例として壁厚の大きい壁パネルの下端の防水水切換気構造例を一部縦断して示した概略斜視図である。
【発明を実施するための形態】
【００２１】
以下、図面を参照して本発明の実施の形態について説明する。
（実施形態）
図１は本発明に係る外張断熱パネルを示す斜視図で、本発明に係る外張断熱パネルは、図１（ａ）に示すように、第一幅広外張断熱パネル１０と、図１（ｂ）に示すように、第二幅広外張断熱パネル２０と、標準用外張断熱パネル３０とによる三パターンが用意される。
これら三パターンの第一幅広外張断熱パネル１０、第二幅広外張断熱パネル２０、標準用外張断熱パネル３０は、いずれも幅が異なるが、ともに同じ高さ９０８ｍｍ、厚さ７２ｍｍである。
【００２２】
先ず、標準用外張断熱パネル３０は、図２に示す壁パネル１のモジュール寸法と同じ幅９１０ｍｍに形成されており、防腐処理した厚さ１２ｍｍの標準用合板３１に、フェノールフォームにより形成した厚さ６０ｍｍの標準用断熱材３２を接着剤で接着したものである。
【００２３】
なお、モジュールとは、建物のあらゆる部分（本実施形態においては特に壁の幅寸法）を一定の大きさの倍数関係に整える際の基準となる寸法をいい、特に限定されるものではないが、例えば８００ｍｍ、９００ｍｍ、９１０ｍｍ、１０００ｍｍ等の寸法がある。例えば、モジュールを９１０ｍｍとすると、ハーフモジュールは４４５ｍｍ、クォーターモジュールは２２７．５ｍｍとなる。本実施の形態のモジュール（Ｍ）は９１０ｍｍとされている。
【００２４】
次に、第一幅広外張断熱パネル１０は、標準用外張断熱パネル３０より大きい幅１０４５ｍｍに形成されており、防腐処理した幅１０４５ｍｍ、厚さ１２ｍｍを有する第一幅広合板１１に、フェノールフォームにより形成した幅１０４５ｍｍ、厚さ６０ｍｍを有する第一幅広断熱材１２を接着剤で接着したものである。
【００２５】
そして、第二幅広外張断熱パネル２０は、第一幅広外張断熱パネル１０より大きい幅１０６７ｍｍに形成されており、防腐処理した幅１０６７ｍｍ、厚さ１２ｍｍを有する第二幅広合板２１に、フェノールフォームにより形成した幅９９５ｍｍ、厚さ６０ｍｍを有する第二幅広断熱材２２を接着剤で接着したものである。
【００２６】
このように、第二幅広外張断熱パネル２０（第二幅広合板２１）の幅１０６７ｍｍは、第二幅広断熱材２２の幅９９５ｍｍより第一幅広外張断熱パネル１０の厚さ７２ｍｍだけ広い幅に形成されている。
したがって、第二幅広合板２１は、一端部の端面が面一に揃えられた第二幅広断熱材２２より他側部が長さ７２ｍｍだけ突出している。この第二幅広合板２１の突出端部と第二幅広断熱材２２の端面とにより凹部２３が形成されている。
そして、第一幅広断熱材１２及び第二幅広断熱材２２の幅９９５ｍｍは、標準用断熱材３２の幅９１０ｍｍより広い幅に形成されている。
【００２７】
なお、合板１１・２１・３１と断熱材１２・２２・３２の接着について、その両方に接着剤を塗布して接着することが接着性を良好にし、さらに、不織布を介設することで接着しやすいものとなる。
【００２８】
以上のとおり、第一及び第二幅広外張断熱パネル１０・２０と標準用外張断熱パネル３０は、合板１１・２１・３１と断熱材１２・２２・３２を接着した構成により、外枠をなくしてコスト低減及び軽量化することができ、また、現場で必要な寸法にカットして使用することもできる。
【００２９】
図２は壁パネル１・・・の外側に第一幅広外張断熱パネル１０及び第二幅広外張断熱パネル２０による出隅部と標準用外張断熱パネル３０を含む入隅部の構成例を示したものである。
図示のように、表裏の面材１ａ・１ａ間に枠状及び中間の芯材１ｂを介在させて構成された壁パネル１・１が角材による調整材２ａを介して直角に接続された出隅部において、第一幅広外張断熱パネル１０と第二幅広外張断熱パネル２０とにより外張断熱構造が形成されている。
【００３０】
すなわち、先ず、第一幅広外張断熱パネル１０が、出隅部を構成する一方の壁パネル１と調整材２ａに図示下側から、第一幅広断熱材１２が重ねられて、第一幅広外張断熱パネル１０は、調整材２ａより図示左側に長さ６０ｍｍだけ突出している。
次に、第二幅広外張断熱パネル２０が、出隅部を構成する他方の壁パネル１と調整材２ａに図示左側から、第二幅広断熱材２２が重ねられて、この第二幅広断熱材２２における図示下側端面が、調整材２ａの図示左側に長さ６０ｍｍだけ突出している第一幅広断熱材１２における突出面に重ねられている。
そして、第一幅広合板１１及び出隅用断熱材１２の図示左側端面に、第二幅広断熱材２２から図示左側に長さ７２ｍｍだけ突出している第二幅広合板２１における突出部が重ねられている。
つまり、第二幅広断熱材２２の図示下側端面と第二幅広合板２１の図示下側突出端部とにより形成された凹部２３に、第一幅広合板１１及び出隅用断熱材１２の図示左側端部が嵌め合わされる。
【００３１】
また、図示のように、壁パネル１・１が角材による調整材２ｂを介して直角に接続された入隅部において、前記出隅部の外張断熱構造を形成した第二幅広外張断熱パネル２０と現場加工した外張断熱パネル４０とにより外張断熱構造が形成されている。
すなわち、入隅部を構成する他方の壁パネル１に図示下側から、この壁パネル１の幅に合わせて現場で標準用外張断熱パネル３０をカットした外張断熱パネル４０の断熱材４２が重ねられて、この外張断熱パネル４０の合板４１の図示右端部下側に、前記出隅部外張断熱を形成した第二幅広外張断熱パネル２０の図示上端面が重ねられている。
なお、入隅部の図示上側において、壁パネル１の図示左端面に接続する角材による調整材２ｃが配置されて、外張断熱パネル４０の図示左端面に接続する角材による調整材２ｄが配置されている。
【００３２】
さらに、図示のように、前記出隅部から右側において、壁パネル１に標準用外張断熱パネル３０が重ねられて、さらに右側の壁パネル１に第二幅広外張断熱パネル２０が重ねられて、この第二幅広外張断熱パネル２０と現場加工した外張断熱パネル５０とにより突出部の外張断熱構造が形成されている。
すなわち、突出部を構成する壁パネル１及び角材による調整材２ｅに図示下側から、第二幅広外張断熱パネル２０における第二幅広断熱材２２が重ねられて、この第二幅広断熱材２２及び調整材２ｅに図示右側から、その第二幅広断熱材２２及び調整材２ｅの厚さに合わせて現場で標準用外張断熱パネル３０を切断した外張断熱パネル５０の断熱材５２が重ねられている。
つまり、第二幅広断熱材２２の図示右側端面と第二幅広合板２１の図示右側突出端部とにより形成された凹部２３に、現場で標準用外張断熱パネル３０を切断した外張断熱パネル５０の合板５１及び断熱材５２の図示下側端部が嵌め合わさせる。
【００３３】
なお、壁パネル１・・・の室内側には内装材３・・・が取り付けられている。
【００３４】
図３は壁パネル１・・・の外側に標準用外張断熱パネル３０及び第二幅広外張断熱パネル２０をビス止めする際の構成例を示したものである。
図示のように、標準用外張断熱パネル３０は、ビス４・・・を標準用合板３１の外側から標準用断熱材３２に貫通して壁パネル１の芯材１ｂ・・・に固定する。
そして、第二幅広外張断熱パネル２０は、ビス４・・・を第二幅広合板２１の外側から第二幅広断熱材２２を貫通して壁パネル１の芯材１ｂ・・・及び調整材２ａに固定する。
【００３５】
ここで、ビス４は、図４に拡大して示すように、先端部に雄ねじ４ａを有して、頭部の首下に雄ねじ４ｂを有する外張断熱パネル用特殊ビスを使用する。
【００３６】
図５は図３のビス止め部を拡大して示した横断面図で、壁パネル１・１の接続部と出隅用外張断熱パネル２０及び標準用外張断熱パネル３０の接続部が一致する個所では、図５（ａ）に示すように、隣り合う二本のビス４・４を隣り合う芯材１ｂ・１ｂに向けて平行にそれぞれ打ち込む。
また、壁パネル１の中間部の芯材１ｂと標準用外張断熱パネル３０及び第二幅広外張断熱パネル２０の接続部が一致する個所では、図５（ｂ）に示すように、隣り合う二本のビス４・４を一本の芯材１ｂに向けて相寄る方向に斜めにそれぞれ打ち込む。
【００３７】
図２に示したように、出隅部においては、ビス４を第一幅広合板１１の外側から第一幅広断熱材１２を貫通して壁パネル１の芯材１ｂ及び調整材２ａまで打ち込んで、ビス４を第二幅広合板２１の外側から第二幅広断熱材２２を貫通して調整材２ａまで打ち込む。
ビス４は、先端部の雄ねじ４ａが芯材１ｂ及び調整材２ａにそれぞれねじ込まれて、頭部首下の雄ねじ４ｂが第一及び第二幅広合板１１・２１にそれぞれねじ込まれる。
【００３８】
入隅部においては、ビス４を出隅用合板４１の外側から出隅用断熱材４２を貫通して壁パネル１の芯材１ｂまで打ち込む。
ビス４は、先端部の雄ねじ４ａが芯材１ｂにそれぞれねじ込まれて、頭部首下の雄ねじ４ｂが合板４１にそれぞれねじ込まれる。
【００３９】
出隅部の図示右側においては、ビス４を標準用合板３１及び第二幅広合板２１の外側から標準用断熱材３２及び第二幅広断熱材２２を貫通して壁パネル１の芯材１ｂ及び調整材２ｅまで打ち込んで、ビス４を合板５１の外側から断熱材５２を貫通して調整材２ｅまで打ち込む。
ビス４は、先端部の雄ねじ４ａが芯材１ｂ及び調整材２ｅにそれぞれねじ込まれて、頭部首下の雄ねじ４ｂが標準用合板３１、第二幅広合板２１及び合板５１にそれぞれねじ込まれる。
【００４０】
ここで、前述したように、壁パネル１・１の接続部と出隅用外張断熱パネル２０及び標準用外張断熱パネル３０の接続部が一致する個所においては、図５（ａ）に拡大して示したように、隣り合う二本のビス４・４を隣り合う芯材１ｂ・１ｂに向けて平行にそれぞれ打ち込む。
また、前述したように、壁パネル１の中間部の芯材１ｂと標準用外張断熱パネル３０及び第二幅広外張断熱パネル２０の接続部が一致する個所においては、図５（ｂ）に拡大して示したように、隣り合う二本のビス４・４を一本の芯材１ｂに向けて相寄る方向に斜めにそれぞれ打ち込む。
【００４１】
その後、壁パネル１・・・の外側には、出隅部において、第一及び第二幅広外張断熱パネル１０・２０の外側に外装材５ａが取り付けられて、入隅部において、外張断熱パネル４０の外側に外装材５ｂが取り付けられている。
図示のように、外装材５ａは出隅部に対応した直角なＬ型役物で、外装材５ｂも入隅部に対応した、外装材５ａとは反対に入隅側端部が外側に直角に屈曲したＬ型役物となっている。
そして、第二幅広外張断熱パネル２０の外側に外装材５ｃが取り付けられて、出隅部の図示右側において、第一幅広外張断熱パネル１０及び標準用外張断熱パネル３０の外側に外装材５ｃ・５ｃが取り付けられて、第二幅広外張断熱パネル２０及び外張断熱パネル５０の外側に外装材５ｄが取り付けられている。
図示のように、外装材５ｄは、第二幅広外張断熱パネル２０の右端部と外張断熱パネル５０と調整材２ｅとによる突出部に対応したコ型役物となっている。
【００４２】
次に、図６は壁パネル１及び外張断熱パネル３０の下端の納まり例を示した縦断面図である。
図示のように、床板６ａの下面に枠状及び中間部の桟材６ｂを備えた床パネル６の外側端部及び角材による調整材２ｆの上下に配置した壁パネル１・１の外側に、例えば標準用の外張断熱パネル３０・３０を配置している。
【００４３】
そして、床パネル６の下側の外張断熱パネル３０は、縦方向の芯材１ｂにビス固定されつつ床パネル６の下側の壁パネル１の下端外側に、釘７を芯材１ｂまで打ち込んで固定した調整材２ｇにより支持されている。
さらに、外張断熱パネル３０の合板３１の下端及びその下の調整材２ｇの外側と外装材５との間にピース胴縁８が介設されている。
また、調整材２ｇの外側及び下側を覆って外装材５の下方に突出する見切下端水切９が取り付けられている。
【００４４】
次に、図７は壁パネル１及び外張断熱パネル３０と勾配屋根の桁側上端の納まり例を示した縦断面図である。
図示のように、屋根パネル１０１の屋根板１０１ａの下面に備えられた桟材１０１ｂが、壁パネル１の上端面に固定した結合桁１０２の傾斜上面に載置されて、屋根板１０１ａを貫通して桟材１０１ｂを跨ぐように取り付けられたフック金物１０３の二股状下部が、壁パネル１の上端外側面に当接して、図示しない釘により固定されている。
【００４５】
また、壁パネル１の外側に、例えば標準用の外張断熱パネル３０が配置されて、この外張断熱パネル３０の上端と屋根パネル１０１の桟材１０１ｂとの間に隙間Ｓ１が形成されている。この隙間Ｓ１は、外張断熱パネル３０によって屋根パネル１０１下の空気の流通を妨げないようにするため確保されている。
そして、外張断熱パネル３０の合板３１の外側に配置した外装材５の上端面に、角材による二つの小さな角材による調整材２ｈ・２ｉが外側に重ねられて、調整材２ｈ・２ｉの外側から釘７を合板３１に打ち込んで、調整材２ｈ・２ｉが固定されている。
さらに、調整材２ｉの外側に角材による調整材２ｊが配置されて、調整材２ｊの外側から釘７を調整材２ｉに打ち込んで、調整材２ｊが固定されている。この調整材２ｊの下面に板材による軒天材１０４の端部が重ねられて、図示しないビスにより固定されている。軒天材１０４の端部周囲に金属板による軒天見切１０５が設けられている。
【００４６】
次に、図８は外張断熱パネル３０の下端の防水水切換気構造例を一部縦断して示した概略斜視図で、図９はその縦断面図である。
図示のように、壁パネル１の外側に重ねた、例えば標準用の外張断熱パネル３０は、壁パネル１の外側に図示しない釘を打ち込んで固定された角材による調整材２ｋに載せられている。調整材２ｋの下には、壁パネル１の外側に図示しない釘を打ち込んで固定された板材によるピース胴縁８ａが配置されている。また、合板３１を、ピース胴縁８ａの外側に図示しない釘を打ち込んで固定された角材による調整材２ｍに下側を重ねるとともに、合板３１の下端に上側を重ねた金属板による換気スリット見切１１１の中間段部上に載せている。
こうして、外張断熱パネル３０の下端が、ピース胴縁８ａと換気スリット見切１１１により支持されている。
【００４７】
そして、換気スリット見切１１１の外側にブローイングネット１１２が重ねられて、このブローイングネット１１２の上側が両面ブチルテープ１１３で合板３１に張り付けられて、この両面ブチルテープ１１３の外側に、合板３１の外側に重ねられる外壁防水透湿シート１１４の下側が張り付けられている。
また、ブローイングネット１１２の下側と、調整材２ｍの外側に重ねて外側及び下側に突出する下端水切１１６の上側とに片面ブチルテープ１１５が張り付けられている。
なお、ピース胴縁８ａの下端に連続して、壁パネル１の外側に図示しない釘を打ち込んで固定された板材によるピース胴縁８ｂが配置されており、このピース胴縁８ｂにハットジョイナー１１７を介して外装材５ｂの上端が固定されている。このハットジョイナー１１７の外側にはシーリング材１１８が充填されている。
【００４８】
さらに、外壁防水透湿シート１１４の外側には、板材によるピース胴縁８ｃが図示しない釘を調整材２ｋに打ち込んで固定されており、このピース胴縁８ｃに外装材５ａが固定されている。この外装材５ａの下端部は、下端水切１１６の傾斜上面に接近している。
こうして、壁パネル１と外装材５ａ・５ｂとの間には、外張断熱パネル３０を載せた調整材２ｋの下面と、換気スリット見切１１１を載せた調整材２ｍの上面との間に形成される通気層を含む通気層連続スペースＳ２が形成されている。
通気層連続スペースＳ２は、壁パネル１と下側の外装材５ｂとの間に形成される通気層と、壁パネル１と上側の外装材５ａとの間に形成される通気層とが連続した通気スペースとなっている。
【００４９】
すなわち、壁パネル１と下側の外装材５ｂとの間には、下側のピース胴縁８ｂの下方に形成される通気層と、ピース胴縁８ｂの横方向間に形成される通気層と、ピース胴縁８ｂとハットジョイナー１１７及び下端水切１１６との間に形成される通気層とが連続している。
そして、壁パネル１と上側の外装材５ａとの間には、ピース胴縁８ａの横方向間に形成される通気層と、外張断熱パネル３０を載せた調整材２ｋの下面と換気スリット見切１１１を載せた調整材２ｍの上面と換気スリット見切１１１との間に形成される通気層と、換気スリット見切１１１とブローイングネット１１２を介して外装材５ａとの間に形成される通気層と、その上のピース胴縁８ｃの横方向間に形成される通気層と、その上方で外装材５ａと外壁防水透湿シート１１４との間に形成される通気層とが連続している。
以上の通気層連続スペースＳ２により、壁パネル１と下端水切１１６を挟んだ上下の外装材５ａ・５ｂとの間における通気経路が確保されている。
【００５０】
ここで、図６から図９の例では、標準用外張断熱パネル３０について説明したが、第一及び第二幅広外張断熱パネル１０・２０についても同様の構造が適用される。
【００５１】
次に、図１０は外張断熱パネルの割付例を示す概略正面図である。
図示のように、家屋の外壁において、縦横方向に外張断熱パネルが並べて張り付けられている。
すなわち、その一番下には、左端の出隅部を構成する一枚の第二幅広外張断熱パネル２０から、その右側に六枚の標準用外張断熱パネル３０・・・が並び、その右側に標準用外張断熱パネル３０の幅を狭く切断加工した外張断熱パネル３０ａが並び、その右側に右端の出隅部を構成する一枚の第一幅広外張断熱パネル１０が並んで割り付けられている。
【００５２】
その上の下から二番目に、左端の出隅部を構成する一枚の第二幅広外張断熱パネル２０から、その右側に図示左側の窓開口部Ｗ１における略下半部を囲む形状に、標準用外張断熱パネル３０をそれぞれ切断加工した三枚の外張断熱パネル３０ｂ・３０ｃ・３０ｄが並び、その右側に一枚の標準用外張断熱パネル３０が並んでいる。
さらに、その右側に図示右側の窓開口部Ｗ２における略下半部を囲む形状に、標準用外張断熱パネル３０をそれぞれ切断加工した三枚の外張断熱パネル３０ｅ・３０ｆ・３０ｇが並び、その右側に右端の出隅部を構成する一枚の第一幅広外張断熱パネル１０が並んで割り付けられている。
【００５３】
その上の下から三番目に、左端の出隅部を構成する一枚の第二幅広外張断熱パネル２０から、その右側に図示左側の窓開口部Ｗ１における略上半部を囲む形状に、標準用外張断熱パネル３０をそれぞれ切断加工した三枚の外張断熱パネル３０ｈ・３０ｉ・３０ｊが並び、その右側に一枚の標準用外張断熱パネル３０が並んでいる。
さらに、その右側に図示右側の窓開口部Ｗ２における略上半部を囲む形状に、標準用外張断熱パネル３０をそれぞれ切断加工した三枚の外張断熱パネル３０ｋ・３０ｍ・３０ｎが並び、その右側に右端の出隅部を構成する一枚の第一幅広外張断熱パネル１０が並んで割り付けられている。
【００５４】
その上の下から四番目に、左端の出隅部を構成する、第二幅広外張断熱パネル２０の略上半部を軒先側の屋根勾配に合わせて斜めに切断加工した一枚の外張断熱パネル２０ａから、その右側に六枚の標準用外張断熱パネル３０・・・が並び、その右側に標準用外張断熱パネル３０の幅を狭く切断加工した外張断熱パネル３０ｐが並んでいる。
さらに、その右側に右端の出隅部を構成する、第一幅広外張断熱パネル１０の略上半部を軒先側の屋根勾配に合わせて斜めに切断加工した一枚の第一幅広外張断熱パネル１０ａが並んで割り付けられている。
【００５５】
そして、一番上には、その下の左から二〜四番目の標準用外張断熱パネル３０・・・の上に順に、前記左端の外張断熱パネル２０ａにおける傾斜に連続する、標準用外張断熱パネル３０を左側の屋根勾配に合わせて斜めにそれぞれ切断加工した三枚の外張断熱パネル３０ｑ・３０ｒ・３０ｓが並んでいる。
さらに、右側には、その下の左から五番目の標準用外張断熱パネル３０の上に、標準用外張断熱パネル３０の上部を屋根棟部の勾配に合わせて左右を斜に切断加工した一枚の外張断熱パネル３０ｔが並んでいる。
さらに、右側に、その下の左から六・七番目の標準用外張断熱パネル３０・３０の上に順に、標準用外張断熱パネル３０を右側の屋根勾配に合わせて斜めにそれぞれ切断加工した外張断熱パネル３０ｕ・３０ｖが並んでいる。
さらに、右側には、その下の外張断熱パネル３０ｐの上に、前記右端の外張断熱パネル１０ａにおける傾斜に連続する、標準用外張断熱パネル３０を右側の屋根勾配に合わせて斜めに切断加工した外張断熱パネル３０ｗが並んでいる。
【００５６】
以上、実施形態によれば、幅寸法がモジュール寸法を基に設定された標準用断熱材３２の外側面に、これと等しい幅寸法に設定された標準用合板３１が張り付けられた標準用外張断熱パネル３０と、モジュール寸法よりも幅広に設定された第一幅広断熱材１２の外側面に、これと等しい幅寸法に設定された第一幅広合板１１が張り付けられた第一幅広外張断熱パネル１０と、モジュール寸法よりも幅広に設定された第二幅広断熱材２２の外側面に、これよりも幅広に設定された第二幅広合板２１が張り付けられた第二幅広外張断熱パネル２０と、を含む外張断熱構造となっている。
すなわち、標準用断熱材３２の外側面に等しい幅の標準用合板３１が張り付けられた標準用外張断熱パネル３０と、第一幅広断熱材１２の外側面に等しい幅の第一幅広合板１１が張り付けられた第一幅広外張断熱パネル１０と、第二幅広断熱材２２の外側面に幅広の第二幅広合板２１が張り付けられた第二幅広外張断熱パネル２０なので、外枠をなくして軽量化できることにより、施工性を向上できるとともにコストを低減できる。
そして、第二幅広断熱材２２の外側面に幅広の第二幅広合板２１が張り付けられた第二幅広外張断熱パネル２０に対し、第二幅広断熱材２２より幅広の第二幅広合板２１の幅方向側端部において、標準用外張断熱パネル３０や第一幅広外張断熱パネル１０を直交して接続することが可能になるので、出隅部や入隅部を含んで断熱ラインの連続性を確保できる外張断熱構造を提供することができる。
また、モジュール寸法を用いて各種断熱パネル（標準用外張断熱パネル１０、第一幅広外張断熱パネル２０、第二幅広外張断熱パネル３０）を構成しているため、建物の外周ラインがどのような形状であっても断熱ラインの設計が容易に行える。
【００５７】
さらに、第二幅広外張断熱パネル２０は、第二幅広断熱材２２における幅方向両側端部の一方が、第二幅広合板２１における幅方向両側端部の一方よりも、第一幅広外張断熱パネル１０の厚さ分だけ幅方向中央側に奥まって位置して、幅方向両側端部の一方に凹部２３を有しているので、その凹部２３に第一幅広外張断熱パネル１０の幅方向側端部を接続して、出隅部における断熱ラインの連続性を確保できる。
【００５８】
つまり、外壁のコーナー部に沿って、第一幅広外張断熱パネル１０と、第二幅広外張断熱パネル２０と、が直交して配置されて、第二幅広外張断熱２０における凹部２３に、第一幅広外張断熱パネル１０における幅方向側端部が嵌められているので、出隅部における断熱ラインの連続性を確保できる。
【００５９】
また、標準用外張断熱パネル３０と、第一幅広外張断熱パネル１０と、第二幅広外張断熱パネル２０と、を含む複数種類の外張断熱パネルが、各々の合板３１・１１・２１から各々の断熱材３２・１２・２２を貫通したビス４により、外壁に固定されているので、標準用外張断熱パネル３０、第一幅広外張断熱パネル１０及び第二幅広外張断熱パネル２０を含む複数種類の外張断熱パネルを、各々の合板３１・１１・２１から各々の断熱材３２・１２・２２を貫通したビス４により、外壁に確実に固定することができる。
【００６０】
しかも、標準用外張断熱パネル３０、第一幅広外張断熱パネル１０及び第二幅広外張断熱パネル２０を含む複数種類の外張断熱パネルを、外壁の幅寸法に応じて現場で切断して寸法調整を行うことで、例えば標準用外張断熱パネル３０を、第一幅広外張断熱パネル１０や第二幅広外張断熱パネル２０の側方に連続させたり、第一幅広外張断熱パネル１０や第二幅広外張断熱パネル２０と直交して連続させて入隅部や突出部等を形成できる。
【００６１】
（変形例）
以上の実施形態において、第二幅広断熱材における幅方向両側端部の一方を、第二幅広合板における幅方向両側端部の一方よりも、第一幅広外張断熱パネルの厚さ分だけ幅方向中央側に奥まって位置させて、幅方向両側端部の一方に凹部を設けた第二幅広外張断熱パネルとしたが、第二幅広断熱材における幅方向両側端部を、第二幅広合板における幅方向両側端部よりも、第一幅広外張断熱パネルの厚さ分だけ幅方向中央側に奥まって位置させて、幅方向両側端部に凹部を設けた第二幅広外張断熱パネルとしてもよい。
また、標準用外張断熱パネルは、１Ｍ（モジュール）でなくてもよく、２Ｍ、３Ｍでもよい。
さらに、モジュールを含む各種寸法、合板や断熱材の材質、外張断熱パネルの割付等も任意であり、その他、具体的な細部構造等についても適宜に変更可能であることは勿論である。
【００６２】
（参考例）
図１１は参考例として壁厚の大きい壁パネルの下端の防水水切換気構造例を一部縦断して示した概略斜視図である。
すなわち、図８の壁パネル１及び標準用外張断熱パネル３０に代えて、図示のように、壁パネル１２１の上に外側に突出して壁厚の大きい壁パネル１２３が配置される外壁構造において、壁パネル１２１の外側に図示しない釘を打ち込んで固定された板材によるピース胴縁８ａの上に壁厚の大きい壁パネル１２３を載せている。
また、壁厚の大きい壁パネル１２３の外側端部を、ピース胴縁８ａの外側に図示しない釘を打ち込んで固定された角材による調整材２ｍに下側を重ねるとともに、壁パネル１２３の外側端部の下端に上側を重ねた金属板による換気スリット見切１１１の中間段部上に載せている。
こうして、壁厚の大きい壁パネル１２３における壁パネル１２１から突出した突出部下端が、ピース胴縁８ａと換気スリット見切１１１により支持されている。
【００６３】
そして、換気スリット見切１１１の外側にブローイングネット１１２が重ねられて、このブローイングネット１１２の上側が両面ブチルテープ１１３で壁パネル１２３の外側面に張り付けられて、この両面ブチルテープ１１３の外側に、壁パネル１２３の外側に重ねられる外壁防水透湿シート１１４の下側が張り付けられている。
また、ブローイングネット１１２の下側と、調整材２ｋの外側に重ねて外側及び下側に突出する下端水切１１６の上側とに片面ブチルテープ１１５が張り付けられている。
なお、ピース胴縁８ａの下端に連続して、壁パネル１２１の外側に図示しない釘を打ち込んで固定された板材によるピース胴縁８ｂが配置されており、このピース胴縁８ｂにハットジョイナー１１７を介して外装材５ｂの上端が固定されている。このハットジョイナー１１７の外側にはシーリング材１１８が充填されている（図９参照）。
【００６４】
さらに、外壁防水透湿シート１１４の外側には、板材によるピース胴縁８ｃが図示しない釘を壁パネル１２３に打ち込んで固定されており、このピース胴縁８ｃに外装材５ａの上端が固定されている。この外装材５ａの下端部は、下端水切１１６の傾斜上面に接近している。
こうして、下側の壁パネル１２１及びその上で外側に突出した壁厚の大きい壁パネル１２３と外装材５ａ・５ｂとの間には、で外側に突出した壁厚の大きい壁パネル１２３の下面と調整材２ｋの上面との間に形成される通気層を含む通気層連続スペースＳ２が形成されている。
通気層連続スペースＳ２は、下側の壁パネル１２１と外装材５ｂとの間に形成される通気層と、上側の壁パネル１２３と外装材５ａとの間に形成される通気層とが連続した通気スペースとなっている。
【００６５】
すなわち、下側の壁パネル１２１と外装材５ｂとの間には、下側のピース胴縁８ｂの下方に形成される通気層と、ピース胴縁８ｂの横方向間に形成される通気層と、ピース胴縁８ｂとハットジョイナー１１７及び下端水切１１６との間に形成される通気層とが連続している。
そして、上側の壁パネル１２３と外装材５ａとの間には、ピース胴縁８ａの横方向間に形成される通気層と、壁パネル１２３の突出部下面と調整材２ｍの上面と換気スリット見切１１１との間に形成される通気層と、換気スリット見切１１１とブローイングネット１１２を介して外装材５ａとの間に形成される通気層と、その上のピース胴縁８ｃの横方向間に形成される通気層と、その上方で外装材５ａと外壁防水透湿シート１１４との間に形成される通気層とが連続している。
以上の通気層連続スペースＳ２により、壁パネル１２１及び壁厚の大きい壁パネル１２３と下端水切１１６を挟んだ上下の外装材５ａ・５ｂとの間における通気経路が確保されている。
【符号の説明】
【００６６】
１  壁パネル
１ｂ  芯材
２ａ  調整材
４  外張断熱パネル用特殊ビス
１０  第一幅広外張断熱パネル
１１  第一幅広合板
１２  第一幅広断熱材
２０  第二幅広外張断熱パネル
２１  第二幅広合板
２２  第二幅広断熱材
２３  凹部
３０  標準用外張断熱パネル
３１  標準用合板
３２  標準用断熱材
【図１】
2020147893.tif 000003
【図２】
2020147893.tif 000004
【図３】
2020147893.tif 000005
【図４】
2020147893.tif 000006
【図５】
2020147893.tif 000007
【図６】
2020147893.tif 000008
【図７】
2020147893.tif 000009
【図８】
2020147893.tif 000010
【図９】
2020147893.tif 000011
【図１０】
2020147893.tif 000012
【図１１】
2020147893.tif 000013